(57)【要約】【課題】ハサミを操作する手の動きと直結した繊細で滑らかなタッチで動刃と静刃とを動かすことができ、優れた使用感を得ることができるハサミを提供する。【解決手段】動刃２と静刃３とに穿孔された貫通孔２０、３０をそれぞれ重ね合わせ、動刃２の貫通孔２０から挿通したユニバーサルボルト４が静刃３の貫通孔３０を貫通した位置で止めジネ５によって枢着されてなり、ユニバーサルボルト４のジョイント部４ａが、重ね合わせた動刃２と静刃３との境界部分に位置するようになされたハサミ１である。【選択図】  図２
2004290305.tif 000002
【特許請求の範囲】
【請求項１】
二枚の刃に穿孔された貫通孔をそれぞれ重ね合わせ、一方の刃の貫通孔から挿通したユニバーサルボルトが他方の刃の貫通孔を貫通した位置で止めジネによって枢着されてなり、
ユニバーサルボルトのジョイント部が、重ね合わせた一方の刃と他方の刃との境界部分に位置するようになされたことを特徴とするハサミ。
【発明の詳細な説明】
【０００１】
【発明の属する技術分野】
本発明は、ハサミに関するものであり、例えば、洋バサミ、金切りバサミ、園芸バサミ、理美容用バサミなど、種々のハサミに利用される。
【０００２】
【従来の技術】
一般に、ハサミを使用する場合、ハサミを構成する二枚の刃の把手部分に指を入れて操作することで、支持ピンを中心に二枚の刃の刃線先が擦れ合って刃と刃との間に挟持した被切断物を切断することができるようになされている。
【０００３】
この場合、刃は、刃を開いた状態では、支持ピン寄りの基端部側の刃線が摺動密着した状態となり、刃を閉じた状態では、刃先部側の刃線が摺動密着した状態となるように、少なくとも刃線部分が湾曲するようになされており、使用状態に応じて撓むこととなる。したがって、これらの刃を枢着している支持ピンと止めネジとの間には、刃の撓みに抗して応力が加わることとなる。
【０００４】
このように刃が撓んだり、この刃の撓みに抗して支持ピンと止めネジとの間に応力が加わり続けると、ハサミは、刃線部分の湾曲が緩くなったり、支持ピンと止めネジとの枢着具合が緩くなったりして、被切断物の切れ味が変わってくることとなる。
【０００５】
そこで、従来より、このようなハサミの支持ピンと止めネジとの枢着具合を調整できるようにすることで、被切断物の切れ味が変わらないようにすることが行われている（例えば、実用新案文献１参照）。
【０００６】
【特許文献１】
実開昭５４−１７５６８２号公報
【０００７】
【発明が解決しようとする課題】
しかし、上記従来のハサミの場合、支持ピンと止めネジとの枢着具合を調整することができるので使用感が低下しないように調整することはできるが、支持ピン自体は、二枚の刃に穿孔された貫通孔を貫通する棒状のものであるため、使用感自体を改善することはできない。
【０００８】
そのため、重ね合わせた二枚の刃の間に滑動板などを設けることで使用感を改善することが提案されているが、三次元的に動こうとする二枚の刃を、貫通孔を貫通する棒状の支持ピンで規制してしまうので、手の動きと刃とが一体化した繊細で滑らかな使用感が得られない。
【０００９】
本発明は、係る実情に鑑みてなされたものであって、優れた使用感を得ることができるハサミを提供することを目的としている。
【００１０】
【課題を解決するための手段】
上記課題を解決するための本発明のハサミは、二枚の刃に穿孔された貫通孔をそれぞれ重ね合わせ、一方の刃の貫通孔から挿通したユニバーサルボルトが他方の刃の貫通孔を貫通した位置で止めジネによって枢着されてなり、ユニバーサルボルトのジョイント部が、重ね合わせた一方の刃と他方の刃との境界部分に位置するようになされたものである。
【００１１】
【発明の実施の形態】
以下、本発明の実施の形態を図面を参照して説明する。
【００１２】
図１は本発明に係るハサミ１の全体構成の概略を示し、図２は同ハサミ１の要部断面を示している。
【００１３】
すなわち、このハサミ１は、動刃２と静刃３とに穿孔された貫通孔２０、３０をそれぞれ重ね合わせ、動刃２の貫通孔２０から挿通したユニバーサルボルト４を、静刃３の貫通孔３０を貫通した位置で止めネジ５によって枢着したものであって、ユニバーサルボルト４のジョイント部４ａが、動刃２と静刃３との境界部分に位置するようになされている。
【００１４】
動刃２の接合面２１には、貫通孔２０の周囲に凹溝部２２が形成されている。この凹溝部２２は、円形状となされており、その深さは、動刃２の把持部２３から刃先部２４に向けて連続的に徐々に深くなるように形成されている。動刃２の刃線部２５は、把持部２３から刃先部２４に向かうに従って接合面２１の方向に若干湾曲するように形成されている。動刃２の外面（接合面２０の背面）側には、ユニバーサルボルト４の頭部材４１が納まる凹部２６が形成されている。
【００１５】
静刃３の接合面３１にも、貫通孔３０の周囲に凹溝部３２が形成されている。この凹溝部３２は、上記動刃２の凹溝部２２と同様に、円形状となされており、その深さは、静刃３の把持部３３から刃先部３４に向けて連続的に徐々に深くなるように形成されている。貫通孔３０のうち、静刃３の外面（接合面３０の背面）側は、四角筒状に形成された支持孔３０ａが形成されている。静刃３の刃線部３５は、把持部３３から刃先部３４に向かうに従って接合面３１の方向に若干湾曲するように形成されている。
【００１６】
ユニバーサルボルト４は、頭部材４１と軸部材４２とから構成されている。
【００１７】
頭部材４１は、ボルト頭から若干軸部が延設された断面略ハット型に形成されており、その中心部には、底部が略半円球状となされた凹部４１ａが形成され、その凹部４１ａの底部には、挿通孔４１ｂが穿孔されている。
【００１８】
軸部材４２は、略半円球状の凹部４１ａに合致する直径の略球体状に形成された球体部４２ａから、ネジ軸部４２ｂが延設されて形成されている。ネジ軸部４２ｂの途中には、静刃３の貫通孔３０の支持孔３０ａと合致する四角柱状の角軸部４２ｃが形成されている。この角軸部４２ｃは、頭部材４１の挿通孔４１ｂを通過するが、ネジ軸部４２ｂの外径よりも大きくなるように、その外形状が決定されている。この各軸部４２ｃの形状は、静刃３の貫通孔３０の支持孔３０ａと合致する形状であれば、特に四角柱状に限定されのものではなく、六角柱状、その他の多角柱状に形成されたものであってもよい。ただし、その場合、静刃３の貫通孔３０の支持孔３０ａも、各軸部４２ｃに合致する多角筒状に形成しておく必要がある。
【００１９】
このユニバーサルボルト４は、頭部材４１の孔４１ｂに軸部材４２のネジ軸部４２ｂを挿通させて、この軸部材４２の球体部４２ａを頭部材４１の凹部４１ａに嵌め込んだ状態にすることで、この球体部４２ａと凹部４１ａとによってジョイント部４ａを形成するようになされている。このジョイント部４ａによってユニバーサルボルト４は、球体部４２ａの約１／３が、凹部４１ａの孔４１ｂから露出して頭部材４１に対して軸部材４２が自由に回転または傾くことができるようになされている。
【００２０】
また、ユニバーサルボルト４は、動刃２の外面側から貫通孔２０に挿通して動刃２の凹部２６に頭部材４１を収めた状態でジョイント部４ａが接合面２１に位置するようになされている。
【００２１】
止めネジ５は、ユニバーサルボルト４の軸部材４２のネジ軸部４２ｂと螺合するようになされたもので、その外周面には、止めネジ５を指で容易に螺合できるようにローレット加工された滑り止め部５１が形成されている。また、この螺合状態でユニバーサルボルト４の頭部材４１と対向することとなる止ネジ５の内面側には、爪歯車５２が周設されている。
【００２２】
このハサミ１は、動刃２と静刃３との相対峙する接合面２１、３１の凹溝部２２、３２間に、この凹溝部２２、３２間に合致する滑動板６を挟持した状態で介し、動刃２の貫通孔２０から挿通したユニバーサルボルト４を、静刃３の貫通孔３０を貫通した位置で止めネジ５によって枢着して組み立てられる。この際、止めネジ５と静刃３との間には、弧状板バネ７が設けられる。
【００２３】
この弧状板バネ７は、は、ユニバーサルボルト４を挿通する挿通孔７１が設けられ、その一端部には、係止片７２が突設され、静刃３の外側に設けた係止孔３６に挿入係止するようになされている。そして、止めネジ５の螺合によって、弧状に反った弧状板バネ７が徐々に板状に延ばされ、この際発生する弾力によって、滑動板６を両面から挟持する凹溝部２２と凹溝部３２とを介して上記動刃２の接合面２１と静刃３の接合面３１との回動抵抗を決定するようになされている。すなわち、止めネジ５を固く螺合して弧状板バネ７による弾性力が強く働くようにすることで、動刃２の静刃３に対する回動が重くなる。また、止めネジ５を緩く螺合して弧状板バネ７による弾性力が弱く働くようにすることで、動刃２の静刃３に対する回動は軽くなる。この回動抵抗の調節は、止めネジ５の螺合具合を、使用者の好みに合わせて適当に調節することで容易に行うことができる。また、図３に示すように、この際調節した止めネジ５が緩まないように、弧状板バネ７に突起部７３が突設され、この突起部７３が止めネジ５の爪歯車５２と噛合するようになされている。これにより、止めネジ５は、間欠的に回動するようになされている。弧状板バネ７の挿通孔７１の近傍には、厚み方向に凹凸となる補強部７４を形成してもよい。この場合、弧状板バネ７自身の持つ弾性力が挿通孔７１の近傍で高まるので、止めネジ５を螺合させた際に、止めネジ５の爪歯車５２と突起部７３との噛合状態が止めネジ５の螺合状態に関係なく安定したものとなり、回動抵抗の調節を心地好く行うことができることとなる。
【００２４】
このようにして構成されるハサミ１は、把手部２３、３３に指を入れて操作することで、動刃２の刃線部２５と静刃の刃線部３５とが擦れ合って、これら動刃２と静刃３との間に挟持した被切断物を切断することができる。この際、動刃２の刃線部２５と静刃の刃線部３５とを湾曲させているので、動刃２と静刃３とを開いた状態では、把手部２３、３３寄りの刃線部２５、３５が摺動密着した状態となり、動刃２と静刃３とを閉じた状態では、刃先部２４、３４、側の刃線２５、３５が摺動密着した状態となり、動刃２と静刃３との動きに追従してこれら動刃２と静刃３とが撓むこととなる。このように動刃２と静刃３とが撓んでも、その撓みの一部はユニバーサルボルト４のジョイント部４ａが自在に傾いて吸収することとなる。したがって、使用者は、ハサミ１を操作する手の動きと直結した繊細で滑らかなタッチで動刃２と静刃３とを動かすことができることとなり、優れた使用感が得られる。
【００２５】
なお、ハサミ１の使い心地は、止めネジ５の螺合具合によって、動刃２の凹溝部２２および静刃３の凹溝部３２間に嵌め込まれた滑動板６との相互の回動抵抗を調節することによって決定される。滑動板６は、潤滑剤（図示省略）を保持することができるように構成されたリング状のものであってもよいし、ベアリング（図示省略）などが内蔵されたものであってもよい。
【００２６】
本実施の形態において、ハサミ１に使用しているユニバーサルボルト４は、頭部材４１の孔４１ｂに軸部材４２のネジ軸部４２ｂを挿通させて、この軸部材４２の球体部４２ａを頭部材４１の凹部４１ａに嵌め込んだ状態にしているが、この嵌め込んだ後、凹部４１ａにさらに蓋部材（図示省略）を設けたり、凹部４１ａを縮径加工したりして、頭部材４１ａと軸部材４２とがバラバラにならないようにしたものであってもよい。
【００２７】
また、本実施の形態において、ハサミ１に使用しているユニバーサルボルト４は、頭部材４１と軸部材４２とによって構成されているが、図４に示すように、頭部材４１の部分を動刃２と一体化した状態であらかじめ構成しておき、実質的に軸部材４２に相当する部分だけで構成したものであってもよい。図４において、図２と同部材には同符号を付して説明を省略する。また、ユニバーサルボルト４の頭部材４１は、図５（ａ）および（ｂ）に示すように、筒状の受部４１１と、この受部材４１１の一端部に螺合するブッシュ部材４１２とによって構成されたものであってもよい。受部材４１１は、他端部側に、切込み部４１１ａが設けられ、軸部材４２の球体部４２ａを圧入することができるように、その内周面に球面状の凹部４１１ｂが形成されている。なお、受部材４１１は、軸部材４２の球体部４２ａをそのまま圧入可能な樹脂製である場合、図５（ｃ）および（ｄ）に示すように、切込み部４１１ａが設けられていなくてもよい。また、図５（ｅ）および（ｆ）に示すように、受部材４１１の一端部側から軸部材４２を挿通して凹部４１１ｂと球体部４２ａとを係合させ、軸部材４２の抜け止めとしてブッシュ部材４１２を螺合するようにしたものであってもよい。図５において、図２と同部材には同符号を付して説明を省略する。
【００２８】
さらに、本実施の形態において、ハサミ１に使用しているユニバーサルボルト４のジョイント部４ａは、凹部４１ａと球体部４２ａとによって形成された球関節であるが、このジョイント部４ａとしては、頭部材４１に対して軸部材４２が周囲３６０度いずれの方向にでも傾くことができれば、特にこのような球関節によるジョイント部４ａに限定されるものではなく、例えば、通常のボルトの軸部分のうち、本実施の形態で示すユニバーサルボルト４のジョイント部４ａに相当する位置が切断され、これら切断された部分に可撓変形可能な樹脂材料または弾性材料が複合接着されてジョイント部４ａを構成するようになされたものであってもよい。
【００２９】
以上、本発明を理美容用のハサミ１に適用した場合の一実施例について説明したが、本発明はそれ以外の例えば、洋バサミ、金切りバサミ、園芸バサミ等、各種のハサミに適用することができるものである。したがって、本実施の形態で説明したハサミ１の場合、ユニバーサルボルト４と止めネジ５との枢着は、螺合によって行うようになされており、滑動板６や弧状板バネ７によって枢着具合を調整できるようになされているが、適用する他のハサミの種類によっては、螺合以外にも、ユニバーサルボルト４に対して止めネジ５の部分をカシメ止めして枢着具合を調整できないように固定してしまったハサミであってもよいし、滑動板６や弧状板バネ７を使用しないものであってもよい。
【００３０】
【発明の効果】
以上述べたように、本発明によると、ハサミを構成する二枚の刃の枢着に、ユニバーサルボルトと止めネジとを用い、ユニバーサルボルトのジョイント部が、重ね合わせた一方の刃と他方の刃との境界部分に位置するようにしているので、ハサミの使用時に二枚の刃が撓んでも、その撓みの一部はユニバーサルボルトのジョイント部が自在に傾いたりして吸収される。したがって、使用者は、ハサミを操作する手の動きと直結した繊細で滑らかなタッチで二枚の刃を動かすことができることとなり、優れた使用感が得られる。
【図面の簡単な説明】
【図１】本発明にかかるハサミの全体構成の概略を示す分解斜視図である。
【図２】本発明にかかるハサミの一部を示す部分端面図である。
【図３】（ａ）および（ｂ）は弧状板バネを示す平面図および側面図である。
【図４】本発明にかかる他の実施の形態におけるハサミの一部を示す部分端面図である。
【図５】（ａ）ないし（ｆ）は、それぞれ本発明に係るハサミのユニバーサルボルトの他の実施の形態を示す分解断面図および断面図である。
【符号の説明】
１  ハサミ
２  動刃
２０  貫通孔
３  静刃
３０  貫通孔
４  ユニバーサルボルト
４ａ  ジョイント部
５  止めネジ
【図１】
2004290305.tif 000003
【図２】
2004290305.tif 000004
【図３】
2004290305.tif 000005
【図４】
2004290305.tif 000006
【図５】
2004290305.tif 000007